(57)【特許請求の範囲】
【請求項１】
基本画像に基づいて、ステレオ視するために表示させる右目用及び左目用画像を生成する画像生成装置において、
基本画像を記憶する記憶手段と、
前記基本画像を読みだし、前記基本画像にヒルベルト変換処理を行って、ヒルベルト変換後画像を生成し、前記基本画像及び前記ヒルベルト変換後画像にそれぞれ時間変調処理を行い、時間変調処理を行った基本画像とヒルベルト変換後画像を合成することで右目用又は左目用画像となる一方の画像を生成し、一方の画像生成時と９０度異なる位相で時間変調処理を行った基本画像とヒルベルト変換後画像を合成することで左目用又は右目用画像となる他方の画像を生成する画像生成手段と、
を有することを特徴とする画像生成装置。
【請求項２】
基本画像に基づいて、ステレオ視するために表示させる右目用及び左目用画像を生成する画像生成装置において、
基本画像を記憶する画像記憶手段と、
前記基本画像を読み出し、前記基本画像にフーリエ変換処理を行い、空間周波数成分を、乱数を用いて２分割し、さらにフーリエ逆変換して第一の画像及び第二の画像を生成し、前記第一の画像及び前記第二の画像それぞれに対してヒルベルト変換処理を行って、第三の画像及び第四の画像を生成し、それぞれ異なる関数による時間変調処理を行った前記第一、第二、第三、第四の画像を合成することで右目用又は左目用画像となる一方の画像を生成し、前記一方の画像生成とは位相が９０度異なる重みで時間変調処理を行った前記第一、第二、第三、第四の画像を合成することで左目用又は右目用画像となる他方の画像を生成する画像生成手段と、
を特徴とする画像生成装置。
【請求項３】
前記画像生成手段は、前記基本画像がカラー画像であるときには、赤色画像、緑色画像、青色画像に分割し、分割されたそれぞれの画像に対して前記一方の画像及び前記他方の画像を生成する処理を行い、生成された一方の画像及び他方の画像それぞれに対して、赤色画像、緑色画像、青色画像を合成する処理を行う、
ことを特徴とする請求項１又は２記載の画像生成装置。
【請求項４】
基本画像に基づいて、ステレオ視するために表示させる右目用及び左目用画像を生成する画像生成方法であって、
記憶されている基本画像を読みだすステップ、
前記基本画像にヒルベルト変換処理を行って、ヒルベルト変換後画像を生成するステップ、
前記基本画像及び前記ヒルベルト変換後画像にそれぞれ時間変調処理を行い、時間変調処理を行った基本画像とヒルベルト変換後画像を合成することで右目用又は左目用画像となる一方の画像を生成するステップ、
一方の画像生成時と９０度異なる位相で時間変調処理を行った基本画像とヒルベルト変換後画像を合成することで左目用又は右目用画像となる他方の画像を生成するステップと、
を有する画像生成方法。
【請求項５】
基本画像に基づいて、ステレオ視するために表示させる右目用及び左目用画像を生成する画像生成方法であって、
記憶されている基本画像を読み出すステップ、
前記基本画像にフーリエ変換処理を行って、空間周波数成分を、乱数を用いて２分割し、さらにフーリエ逆変換して第一の画像及び第二の画像を生成するステップ、
前記第一の画像及び前記第二の画像それぞれに対してヒルベルト変換処理を行って、第三の画像及び第四の画像を生成し、それぞれ異なる関数による時間変調処理を行った前記第一、第二、第三、第四の画像を合成することで右目用又は左目用画像となる一方の画像を生成するステップ、
前記一方の画像生成とは位相が９０度異なる重みで時間変調処理を行った前記第一、第二、第三、第四の画像を合成することで左目用又は右目用画像となる他方の画像を生成するステップと、
を有する画像生成方法。
【請求項６】
コンピュータに基本画像に基づいて、ステレオ視するために表示させる右目用及び左目用画像を生成させるためのプログラムであって、
画像生成手段が、
基本画像記憶手段に記憶された基本画像を読みだし、
前記基本画像にヒルベルト変換処理を行って、ヒルベルト変換後画像を生成し、前記基本画像及び前記ヒルベルト変換後画像にそれぞれ時間変調処理を行い、時間変調処理を行った基本画像とヒルベルト変換後画像を合成することで右目用又は左目用画像となる一方の画像を生成し、一方の画像生成時と９０度異なる位相で時間変調処理を行った基本画像とヒルベルト変換後画像を合成することで左目用又は右目用画像となる他方の画像を生成するように前記コンピュータを制御するプログラム。
【請求項７】
コンピュータに基本画像に基づいて、ステレオ視するために表示させる右目用及び左目用画像を生成させるためのプログラムであって、
画像生成手段が、
基本画像記憶手段に記憶された基本画像を読みだし、
前記基本画像にフーリエ変換処理を行い、空間周波数成分を、乱数を用いて２分割し、さらにフーリエ逆変換して第一の画像及び第二の画像を生成し、前記第一の画像及び前記第二の画像それぞれに対してヒルベルト変換処理を行って、第三の画像及び第四の画像を生成し、それぞれ異なる関数による時間変調処理を行った前記第一、第二、第三、第四の画像を合成することで右目用又は左目用画像となる一方の画像を生成し、前記一方の画像生成とは位相が９０度異なる重みで時間変調処理を行った前記第一、第二、第三、第四の画像を合成することで左目用又は右目用画像となる他方の画像を生成するように前記コンピュータを制御するプログラム。
【発明の詳細な説明】
【技術分野】
【０００１】
本発明は、ステレオ視するために右目と左目に対して別々の画像を提供し、ステレオ視した際に提供した画像とは異なる視覚効果を生じさせるための画像生成装置等に関するものである。
【背景技術】
【０００２】
左眼と右眼に別々の画像を提示するステレオ提示法は、両眼視差に基づく立体（３Ｄ）映像の提示手法として、広く産業応用されている。関連する画像処理技術も、立体映像の生成とそれに付随した視覚効果を演出するための技術が主であり、たとえばステレオ視しない状態で立体画像の画像形状に関わる手掛かりを隠蔽化し、ステレオ視してはじめて立体視できる画像を生成する方法が知られている（たとえば、特許文献１）。
【０００３】
しかし、ステレオ提示法は、立体映像だけでなく、運動感の生成にも利用することができる。これは、Dichoptic  motionとよばれる画像提示法で、単眼で観察した場合にはただ明滅するだけの正弦波縞にしか見えないが、両眼で観察すると一定速度で動いて見える視覚効果を引き起こすことができる（非特許文献１）。また、この画像提示法の応用技術として、ヒルベルト変換を適用し、単眼で観察した場合、ランダムに変化するノイズパターンにしか見えないが、両眼で観察すると一方向に動いて知覚される画像提示手法が開発されている（非特許文献２）。
【先行技術文献】
【特許文献】
【０００４】
【特許文献１】特開２００９−１６３３６２号公報
【非特許文献】
【０００５】
【非特許文献１】“Mechanisms  of  human  motion  perception  revealed  by  a  new  cyclopean  illusion”M.Shadlen  &  T.  Carney,Science,vol.232,  pp.95-97,1986
【非特許文献２】“A  method  for  generating  “purely  first-order”  dichoptic  motion  stimulus”,R.Hayashi,S.Nishida,A.Tolias,N.Logothetis,Journal  of  Vision,vol.7,no.8,pp.1-10,2007.
【発明の概要】
【発明が解決しようとする課題】
【０００６】
非特許文献１及び２では、単眼で観察しただけでは一方向への動きがなく、両眼視（ステレオ視）したときに一方向へ動く運動感が生まれる効果しか実現されてこなかった。
【０００７】
一方、特許文献１など多くの産業で利用されるステレオ画像提示技術は、シングル・イメージ・ランダム・ドット・ステレオグラムのような単眼では無作為なドット状パターンで埋め尽くされた画像だが、意図的に眼の焦点を前後させることにより立体視できる画像を提示する技術である。
【０００８】
単眼視では一定方向に動く不明瞭な動画でしかないが、両眼視したときに静止画が明瞭に見える視覚体験を演出する技術はこれまで提案されていない。従って、公知のステレオ画像生成技術においては、不明瞭な動画である単眼画像から両眼視したときに静止画を見せるという視覚体験を観察者に提供することができなかった。本発明は、このような課題を解決するためになされたものであり、本発明の目的は、ステレオ視するために右目と左目に対して別々の画像（動画）を提供し、ステレオ視した際に提供した画像とは異なる視覚効果（静止画）を生じさせるための画像生成装置等に関するものである。
【課題を解決するための手段】
【０００９】
上記のような目的を達成するため、本発明は、基本画像に基づいてステレオ視するために表示させる右目用及び左目用画像を生成する画像生成装置、方法、プログラムであって、基本画像記憶手段から基本画像を読みだし、画像生成手段は、基本画像にヒルベルト変換処理を行って、ヒルベルト変換後画像を生成し、基本画像及びヒルベルト変換後画像にそれぞれ時間変調処理を行い、時間変調処理を行った基本画像とヒルベルト変換後画像を合成することで右目用又は左目用画像となる一方の画像を生成し、一方の画像生成時と９０度異なる位相で時間変調処理を行った基本画像とヒルベルト変換後画像を合成することで左目用又は右目用画像となる他方の画像を生成する。
【００１０】
このように構成することで、単眼の画像は右目と左目でたがいに異なる動画像を提供しているにも関わらず、両眼で画像を見た場合には静止画を提示することができる。
【００１１】
また、本発明の他の構成として、基本画像に基づいて、ステレオ視するために表示させる右目用及び左目用画像を生成する画像生成装置、方法、プログラムにおいて、基本画像記憶手段から基本画像を読み出し、基本画像にフーリエ変換処理を行い、空間周波数成分をランダムに２分割し、さらにフーリエ逆変換して第一の画像及び第二の画像を生成し、第一の画像及び第二の画像それぞれに対してヒルベルト変換処理を行って、第三の画像及び第四の画像を生成し、それぞれ重みの異なる時間変調処理を行った第一、第二、第三、第四の画像を合成することで右目用又は左目用画像となる一方の画像を生成し、一方の画像生成とは位相が９０異なる重みで時間変調処理を行った第一、第二、第三、第四の画像を合成することで左目用又は右目用画像となる他方の画像を生成する。
【００１２】
本構成によれば、さらに右目用画像と左目用画像の輝度差を抑制することができるので、両眼視野闘争現象を防止することができ、両眼で画像を見た場合に安定して静止画を提示することが可能となる。
【００１３】
また、さらに、基本画像がカラー画像であるときには、赤色画像、緑色画像、青色画像に分割し、分割されたそれぞれの画像に対して右目用画像及び左目用画像を生成する処理を行い、生成された右目用画像及び左目用画像それぞれに対して、赤色画像、緑色画像、青色画像を統合する処理を行うようにしてもよい。
【００１４】
本構成によれば、さらにカラー画像の場合に、色ごとに独立した位相差で時間変調することで、単眼画像は色のノイズによりより判別し難い動画像が生成される。にもかかわらず、両眼観察の際にはカラーの静止画像を提供することができる。
【発明の効果】
【００１５】
本発明によれば、単眼画像では右目用、左目用、それぞれ異なるランダムな動画を提供しながら、ステレオ視した際には静止画を知覚することができる視覚体験を提供することができる。
【図面の簡単な説明】
【００１６】
【図１】本発明に係る画像生成装置のハードウェア構成図である。
【図２】本発明に係る画像生成装置の生成画像記憶部のデータ構成の一例の図である。
【図３】本発明に係る画像生成処理の第一の実施の形態を示すフローチャートである。
【図４】本発明に係る画像生成処理の第二の実施の形態を示すフローチャートである。
【図５】本発明に係る画像生成処理の第三の実施の形態を示すフローチャートである。
【図６】本発明により生成された動画像の一例を示す図である。
【発明を実施するための形態】
【００１７】
以下、本発明に係る画像生成装置を実施するための形態について、実施例に基づいて図面を参照して説明する。
【００１８】
図１は、本発明に係る画像生成装置のハードウェア構成図である。本発明の画像生成装置は、一般的なパーソナルコンピュータで実現可能であり、図１において、１０はＣＰＵやマイクロプロセッサ、ＩＣメモリなどの演算装置で構成される制御装置、２０はキーボードやマウスなどの入力装置、３０はディスプレイなどで構成される表示装置、４０は外部の装置との間で送受信を行うための通信装置、５０はＩＣメモリや光磁気ディスクなどの情報記憶媒体で構成される記憶装置である。
【００１９】
制御装置１０は、様々な演算処理を行って画像生成装置の動作を制御する。たとえば、入力部２０からの入力信号に基づいて、表示装置３０に入力された内容を表示させたり、通信装置４０を介して外部より受信したデータを記憶装置５０に記憶するように制御を行ったり、記憶装置５０のデータを読み出して通信装置４０を介して外部へのデータの送信の制御を行う。また、記憶装置５０に記憶されたプログラムを読み出して実行することによって、演算の実行を行うことを実現する。
【００２０】
制御装置１０は、例えば、ＣＰＵ（Central  Processing  Unit：中央演算処理装置）やＶＤＰ（Video  Display  Processor）などのプロセッサや、ＡＳＩＣ、ＩＣメモリなどから構成され、記憶装置５０に記憶された画像生成プログラム５３を読み出すとともに、記憶装置５０に記憶された基本画像を基本画像記憶部５１から読み出して画像生成プログラム５３を実行して画像生成処理を行うことにより画像生成手段１１として機能する。
【００２１】
入力装置２０は、画像生成装置が有するマウス、キーボード、ボタンなどによって構成され、画像生成装置の使用者による操作に応じた入力信号を生成して制御装置１０に入力する。
【００２２】
表示装置３０は、例えば、液晶表示装置などから構成され、基本画像を指定するための画面や、ステレオ視する際の右目用画像や左目用画像などを、制御装置１０から出力される画像信号に従って画像を表示出力する。ステレオ視する際に表示出力させる表示装置は、通常、二つの表示装置からなり、一の表示装置に右目用画像を表示出力し、他方の表示装置に左目用画像を表示出力するよう構成されている。しかし、一の表示装置に右目用画像及び左目用画像を並べて表示出力するようにしてもよい。
【００２３】
通信装置４０は、外部装置との間でデータを送受信するためのインターフェースで構成され、たとえば、ＵＳＢコネクタやＬＡＮコネクタ、無線ＬＡＮモジュールなどで構成される。通信装置４０を介して外部装置から画像を受信して記憶装置５０に画像を記憶したり、制御装置１０の画像生成手段１１で生成されたステレオ視するための右目用又は左目用画像を送信することができる。
【００２４】
記憶装置５０は、例えば、ＲＯＭ（Read  Only  Memory）やフラッシュメモリなどの記憶装置や、光磁気ディスクやＵＳＢメモリといった着脱可能な外部記憶装置から構成され、画像処理装置の動作に必要なプログラムやデータなどを格納したり、画像表示や画像生成処理に必要なデータを一時的に記憶したりする。
【００２５】
記憶装置５０には、画像生成に必要な基本画像データを格納する基本画像記憶部５１、生成した右目用又は左目用画像を格納する生成画像記憶部５２、画像生成プログラム５３を記憶している。
【００２６】
基本画像記憶部５１は、ステレオ視するための右目用画像又は左目用画像を生成するための基となる基本画像データを格納している。画像生成プログラム５３を画像生成手段１１が実行することにより、基本画像から右目用画像及び左目用画像を生成し、生成された画像データは生成画像記憶部５２に記憶される。図２は、生成画像記憶部５２に記憶される左目用画像及び右目用画像の画像データの格納例を示す図である。図２が示すように、生成された画像は、右目用、左目用としてそれぞれ格納し、フレーム番号に対応付けて生成された画像を格納している。画像を再生する際には、制御装置１０が生成画像記憶部５２に記憶されている右目用・左目用それぞれの画像をフレーム番号に従って順次読み出し、表示装置３０に表示出力するように制御することで、右目用画像及び左目用画像が再生表示される。
【００２７】
具体的な画像処理方法について、第一の実施形態における画像処理方法を図３の画像生成図を参照しながら、説明する。画像生成処理にあたって、まず制御装置１０は、入力装置２０からの指示に応じて、記憶装置５０に記憶されている画像生成プログラム５３を読み出して、起動する。画像生成プログラム５３は、画像生成処理を開始すると、制御装置の画像生成手段１１により、記憶装置５０の基本画像記憶部５１に記憶されている基本画像を入力装置２０からの指定などにより読み出す。なお、基本画像は、どのような画像データでもよく、カラーであってもモノクロ画像であってもよい。また、記憶装置５０に記憶されている構成としているが、他のコンピュータに記憶された画像を、通信装置４０を介して受信して記憶装置５０に格納して基本画像としてもよい。
【００２８】
読み出された基本画像は、画像生成手段１１によりまずヒルベルト変換処理がなされる。ヒルベルト変換処理をすることで、基本画像を全ての空間周波数空間で位相を９０度シフトさせた画像を生成することができる。右目用画像及び左目用画像は、この基本画像とヒルベルト変換後画像を用いて生成される。画像生成手段１１は、基本画像及びヒルベルト変換後画像に対して、時間変調処理を行う。具体的には、基本画像から、cos(ft)cos(ft)で時間変調した画像と、sin(ft)sin(ft)で時間変調した画像を生成する。また、ヒルベルト変換後画像から、−cos(ft)sin(ft)で時間変調した画像と、sin(ft)cos(ft)で時間変調した画像とを生成する。なお、fは時間周波数であり、tは時間である。
【００２９】
そして、基本画像をcos(ft)cos(ft)で時間変調処理した画像と、ヒルベルト変換後画像を、−cos(ft)sin(ft)で時間変調処理した画像とを合成して右目用画像として生成し、基本画像にsin(ft)sin(ft)で時間変調処理した画像とヒルベルト変換後画像をsin(ft)cos(ft)で時間変調処理した画像とを合成して左目用画像として生成する。
【００３０】
なお、ここでは上述したように、基本画像又はヒルベルト変換後画像に２回の時間変調処理を行って新たな画像を生成しているが、これに限られない。基本画像やヒルベルト変換後画像に対して行う時間変調処理が右目用画像に用いる画像と左目用画像に用いる場合とで位相が９０度異なるように時間変調処理をすれば足りる。
【００３１】
つまり、基本画像から二つの異なる時間変調処理を行って画像を２枚生成するが、これら２枚の画像の時間周波数が９０度異なっていればよく、同様に、ヒルベルト変換後画像から行う時間変調処理は、互いに９０度位相が異なっていればよい。また、合成する基本画像とヒルベルト変換後画像は互いに時間変調処理で９０度位相が異なっていればよい。
【００３２】
なお、右目用画像、左目用画像ともに、時間周波数ｆで時間変調しているが、これはＴ＝２π／ｆフレームの周期で同じ画像を繰り返し提示することに相当する。Ｔフレームごとに、元となる静止画像を切り替えることで、画像中にある対象物が動くように処理することも可能である。すなわち、動画映像の１コマに対し、本発明技術でＴフレームの映像を作成し、これを全てのコマに対して行えば、動画のステレオ提示ができる。また、図３で右目用画像としている画像を左目用画像とし、左目用画像を右目用画像としてもよい。
【００３３】
図３の画像生成処理を数式で表すと下記のようになる。
右目用画像：cos(ft){I×cos(ft)−Hx(I)×sin(ft)}
左目用画像：sin(ft){I×sin(ft)＋Hx(I)×cos(ft)}
但し、Iは、基本画像、xは空間位置を表す変数、tは時間を表す変数、fは空間周波数である。また、Hxは空間変数xに対するヒルベルト変換を表す。
【００３４】
このように、基本画像に対してヒルベルト変換や時間変調処理を行って、右目用画像及び左目用画像を生成することで、静止画像であった一枚の基本画像から、右目用及び左目用の２つの動画像が生成されることとなる。また、単眼の画像では、時間により変化する様々なノイズにより対象物が知覚しにくい動画像であるのに対し、ステレオ視したときには、はっきりと静止画像を認識することが可能となる。
【００３５】
図４は、第二の実施形態にかかる画像処理方法を説明するための画像処理図である。第二の実施形態においては、基本画像を基本画像記憶部５１から読み出すと画像生成プログラム５３は、画像生成手段１１により最初にＲＧＢ分解処理を行い、基本画像データを赤色（Ｒ）成分の画像、緑色（Ｇ）成分の画像、青色（Ｂ）成分の画像の３つの画像に分解する。
【００３６】
分解された赤色成分、緑色成分、青色成分それぞれの画像について、第一の実施形態と同様にヒルベルト変換処理及び時間変調処理を行う。ヒルベルト変換処理及び時間変調処理については、第一の実施形態と同じ処理であるので、説明を省略する。赤色成分画像、緑色成分画像、青色成分画像、それぞれについてヒルベルト変換処理、時間変調処理を行うことで、それぞれの成分画像について右目用画像と左目用画像が生成される。その後、画像生成手段１１により、生成された赤色成分の右目用画像、緑色成分の右目用画像、青色成分の右目用画像を合成することで、右目用画像を生成する。また、赤色成分の左目用画像、緑色成分の左目用画像、青色成分の左目用画像を合成することで、左目用画像を生成する。
【００３７】
このように、画像成分をＲＧＢで分解処理し、それぞれの色成分の画像データにおいて独立した位相差で時間変調し、合成処理することで、単眼画像（右目用画像又は左目用画像）は、第一の実施形態と比較すると様々な色のノイズにより、元の画像がより判別しにくくなるように生成することができる。その一方、ステレオ視した際には、元の静止画像（基本画像）を知覚することができる映像を提示することができる。
【００３８】
次に、本発明の第三の実施形態にかかる画像処理方法を、図５を用いて説明する。最初に、基本画像記憶部５１に記憶された基本画像を画像生成プログラム５３は画像生成手段１１により読み出す。読み出した基本画像は、まずＲＧＢ分解処理を行い、赤色（Ｒ）成分、緑色（Ｇ）成分、青色（Ｂ）成分に分解される。分解されたそれぞれの成分画像に対して以下の処理を行う。
【００３９】
分解された色成分画像を空間周波数空間で画像を２分割するために、色成分画像にフーリエ変換処理を行う。フーリエ変換処理後のデータをランダムに２分割した後、フーリエ逆変換を行って、第一画像と第二画像を生成する（画像２分割処理）。さらに、生成された第一画像と第二画像それぞれに対して全ての空間周波数の位相が９０度異なるようにヒルベルト変換を施す（ヒルベルト変換画像生成処理）。ヒルベルト変換処理を行うことで、第一画像と空間周波数の位相が９０度異なる第三の画像、第二画像と空間周波数の位相が９０度異なる第四の画像が生成されることとなる。
【００４０】
次にこれら４つの画像に対して、異なる重みの正弦時間変調処理を行って画像を生成する。具体的には、一つの画像に対して、右目用画像、左目用画像を生成するために、右目用画像生成のための時間変調と、左目用画像生成のための時間変調とが、互いに位相が９０度異なるような時間変調処理を行う。このような関係にある時間変調処理を第一画像、第二画像、第三画像、第四画像それぞれに行うことで、第一画像に基づく右目用、左目用、第二画像に基づく右目用、左目用、第三画像に基づく右目用、左目用、第四画像に基づく右目用、左目用と八枚の画像が生成される。
【００４１】
より詳細には図５において、第一画像に対してcos(ft)cos(ft)の時間変調処理を行うことにより右目用、sin(ft)sin(ft)の時間変調処理を行うことにより左目用の時間変調処理画像を生成する。また、第二画像に対してsin(ft)sin(ft)の時間変調処理を行うことにより右目用、cos(ft)cos(ft)の時間変調処理を行うことにより左目用の時間変調処理画像を生成する。第三画像に対して−cos(ft)sin  (ft)の時間変調処理を行うことにより右目用、sin(ft)cos(ft)の時間変調処理を行うことにより左目用の時間変調処理画像を生成する。さらに、第四画像に対しsin(ft)cos(ft)の時間変調処理を行うことにより右目用、−cos(ft)sin(ft)の時間変調処理を行うことにより左目用の時間変調処理画像を生成する。
【００４２】
なお、第一の実施形態と同様に、図５においては２回の時間変調処理を行って、時間変調処理画像を生成しているが、これに限られない。右目用画像生成のための時間変調と、左目用画像生成のための時間変調が、互いに位相が９０度異なる関係にあればよい。
【００４３】
画像生成手段１１は、生成されたこれら８つの時間変調処理画像データから、右目用である４つの時間変調処理画像データを合成処理して、右目用画像を生成する。また、左目用画像データである４つの時間変調処理画像データを合成処理して、左目用画像を生成する（時間変調処理と合成処理）。
【００４４】
赤色成分、緑色成分、青色成分画像、それぞれについて、上述した方法で右目用画像、左目用画像を生成しているため、ＲＧＢの合成処理を行う。つまり、赤色成分の右目用画像、緑色成分の右目用画像、青色成分の右目用画像を合成して、最終的な右目用画像を生成し、赤色成分の左目用画像、緑色成分の左目用画像、青色成分の左目用画像を合成して、最終的な左目用画像を生成する。
【００４５】
図６は、本発明の第三の実施形態により生成された動画像の一例である。８フレームで一周期となるように動画像を生成した場合の画像例である。本発明により生成された右目用画像及び左目用画像は、それぞれどのフレームにおいても歪みやノイズが重畳しており、重畳したノイズはフレームが更新されるごとに一方向に動いて見える。このため、単眼画像（右目用画像、左目用画像）は、著しく不鮮明な動画像であるが、ステレオ視することで鮮明な静止画像を見ることが可能となる。
【００４６】
なお、図５ではＲＧＢ分解処理を行っているが、ＲＧＢ分解処理を行わずに、画像を周波数空間で２分割する処理を行ってもよい。その場合は、ＲＧＢ合成処理も不要となり、上述した周波数空間で画像を２分割する画像２分割処理、ヒルベルト変換画像生成処理、時間変調処理と合成処理のみを行うこととなる。
【００４７】
図５の画像生成処理を数式に表すと以下のようになる。なお、Ｉは基本画像であり、I1、I2は、基本画像Ｉをフーリエ変換したのち、空間周波数成分でランダムに２分割し、フーリエ逆変換して作成された画像、xは空間位置を表す変数、tは時間を表す変数、fは空間周波数である。また、Hxは空間変数xに対するヒルベルト変換を表す。
【００４８】
右目用画像：cos(ft){I1×cos(ft)−Hx(I1)×sin(ft)}+sin(ft){I2×sin(ft)＋Hx(I2)×cos(ft)}
左目用画像：sin(ft){I1×sin(ft)＋Hx(I1)×cos(ft)}+cos(ft){I2×cos(ft)−Hx(I2)×sin(ft)}
両眼の画像和：I1+I2=I
【００４９】
本発明の第三の実施形態によれば、画像を周波数空間で２分割することで両眼画像間の輝度差を抑えることができ、両眼視野闘争現象を生じにくくすることが可能となる。従って、ステレオ視した際により安定して静止画像を見ることができるようになる。
【産業上の利用可能性】
【００５０】
本発明の画像生成装置は、単眼では一方向への運動視が知覚されるが画像の対象物が不明瞭な動画像であるにもかかわらず、ステレオ視することで対象物が明瞭な静止画像を知覚することができるため、視覚機能の検査に用いることができる。また、特殊な視覚効果を体験すること自体がもつ娯楽性を利用して、ゲームなどのアミューズメントテクノロジーに利用することも可能である。さらに、画像のスクランブル化の一手法として利用することが可能である。たとえば、画像や映像を販売するときにサンプルとして片目の動画像のみを常時公開しておき、購入者のみに両目ともの画像を配信するといった利用も可能である。
【符号の説明】
【００５１】
１０  制御装置
１１  画像生成手段
２０  入力装置
３０  表示装置
４０  通信装置
５０  記憶装置
５１  基本画像記憶部
５２  生成画像記憶部
５３  画像生成プログラム
【図１】
0005645080.tif 000002
【図２】
0005645080.tif 000003
【図３】
0005645080.tif 000004
【図４】
0005645080.tif 000005
【図５】
0005645080.tif 000006
【図６】
0005645080.tif 000007